(57)【要約】【課題】無線呼出子機の現在位置を特定し、無線呼出子機を所持する患者の識別情報をその患者に最寄りの廊下灯に表示し、病室外での呼び出しに迅速かつ的確に対処できるようにする。【解決手段】ナースコールシステム２のサーバー２６は、無線呼出子機３１に関連付けてこれを所持する患者Ｐの識別情報を記憶装置２６１に記憶する。位置情報システム３のサーバー３３は、院内各所に設置された固定局３２と、固定局３２と無線呼出子機３１との間の交信に基づいて無線呼出子機３１の現在位置を特定する。ナースコールシステム３の制御機２５は、無線呼出子機３１からの呼び出しに応答し、その子機３１を所持する患者Ｐの氏名やベッド番号等の識別情報を最寄りの廊下灯２２に表示させる。【選択図】図１
2018050740.tif 000002
【特許請求の範囲】
【請求項１】
患者が病室内で看護師を呼び出すナースコール子機と、該ナースコール子機からの呼び出しを病室外で表示する廊下灯と、患者が病室外で看護師を呼び出す無線呼出子機と、該無線呼出子機に関連付けて該子機を所持する患者の識別情報を記憶する記憶手段と、前記無線呼出子機の現在位置を特定するための位置情報システムと、前記無線呼出子機からの呼び出しに応答して該子機を所持する患者の前記識別情報を該子機に最寄りの前記廊下灯に表示させるための制御を行う制御手段とを含むことを特徴とする看護用呼出表示システム。
【請求項２】
前記位置情報システムは、病院内の各所に設置された固定局と、該固定局と前記無線呼出子機との間の交信情報に基づいて前記無線呼出子機の現在位置を特定する位置情報サーバーとを含む請求項１記載の看護用呼出表示システム。
【請求項３】
前記制御手段は、前記無線呼出子機からの呼び出しを前記ナースコール子機からの呼び出しと異なる表示パターンで前記廊下灯に表示させるための制御を行う請求項１又は２記載の看護用呼出表示システム。
【請求項４】
前記制御手段は、前記無線呼出子機からの呼び出しを前記ナースコール子機からの呼び出しよりも優先させて前記廊下灯に表示させるための制御を行う請求項１、２又は３記載の看護用呼出表示システム。
【請求項５】
前記制御手段は、前記廊下灯が緊急呼び出しを表示しているときに、前記無線呼出子機からの呼び出しをキャンセルして、前記緊急呼び出しの表示を継続させるための制御を行う請求項１〜４の何れか一項に記載の看護用呼出表示システム。
【請求項６】
前記制御手段は、前記無線呼出子機からの呼び出しを前記最寄りの廊下灯を含む複数の廊下灯に表示させるとともに、いずれか一つの廊下灯で前記無線呼出子機からの呼び出しを停止する操作がなされたときに、残りのすべての廊下灯で前記無線呼出子機からの呼び出しを停止するための制御を行う請求項１〜５の何れか一項に記載の看護用呼出表示システム。
【発明の詳細な説明】
【技術分野】
【０００１】
本発明は、病院や介護施設等（以下、病院と呼ぶ）に設備された位置情報システムを利用し、患者や被介護者等（以下、患者と呼ぶ）が無線呼出子機により病室外で発生させた呼び出しをその子機に最寄りの廊下灯に表示させるように構成した看護用呼出表示システムに関する。
【背景技術】
【０００２】
従来、患者が病室内のナースコール子機で看護師を呼び出したときに、ナースセンターのナースコール親機に加え、巡回中の看護師が携帯する情報機器端末にもその患者の呼び出しを表示させナースコールシステムが知られている。
【０００３】
例えば、特許文献１のナースコールシステムは、通信機能を備えた情報機器端末を看護師に携行させ、その情報機器端末にナースコール子機からの呼出信号を送信するとともに、該ナースコール子機に関連付けられた患者に関する情報をナースコールサーバから情報機器端末に送信するように構成されている。
【０００４】
また、特許文献２のナースコールシステムは、複数ある情報機器端末のうち、ナースコールを行った患者に最も近い看護師の情報機器端末に、その患者の呼び出しを特別な文字情報および着信音で報知させるように構成されている。なお、特許文献３には、屋内における無線携帯端末の位置検出にＩＭＥＳ（Indoor MEssaging System）を用いた技術が記載されている。
【先行技術文献】
【特許文献】
【０００５】
【特許文献１】特開２００９−２１２８１３号公報
【特許文献２】特開２０１４−２０４７５１号公報
【特許文献３】特開２０１１−１４５８７３号公報
【発明の概要】
【発明が解決しようとする課題】
【０００６】
ところが、従来のナースコールシステムは、患者による病室内からの呼び出しを表示するように構成されているため、患者が病室外から無線の呼出装置で看護師を呼び出した場合、看護師は転送された呼び出しを自身の情報機器端末で確認できるが、患者が病室外のどこで呼び出しているのかを把握できなかった。また、患者が廊下やトイレ等の共用区域で倒れた場合など、その患者を近くにいる看護師が発見したとしても、患者の病名や症状（感染症の有無）などの情報が分からないため、適切な処置が遅れてしまうおそれもあった。
【０００７】
そこで、本発明の目的は、無線呼出子機の現在位置を位置情報システムによって把握し、無線呼出子機を所持する患者の識別情報を廊下灯に表示することで、病室外からの呼び出しに迅速かつ的確に対処することができる看護用呼出表示システムを提供することにある。
【課題を解決するための手段】
【０００８】
上記課題を解決するために、本発明の看護用呼出表示システムは、患者が病室内で看護師を呼び出すナースコール子機と、ナースコール子機からの呼び出しを病室外で表示する廊下灯と、患者が病室外で看護師を呼び出す無線呼出子機と、無線呼出子機に関連付けてその子機を所持する患者の識別情報を記憶する記憶手段と、無線呼出子機の現在位置を特定するための位置情報システムと、無線呼出子機からの呼び出しに応答し、その子機を所持する患者の識別情報をその子機に最寄りの廊下灯に表示させるための制御を行う制御手段とを含むことを特徴とする。ここで、最寄りの廊下灯とは、現在位置が特定された無線呼出子機に最も近い一つの廊下灯、または、その無線呼出子機の現在位置に基づいて予め設定された範囲内にある複数の廊下灯を含む。
【０００９】
本発明の好ましい実施形態では、位置情報システムが、病院内の各所に設置された固定局と、その固定局と無線呼出子機との交信情報に基づいて無線呼出子機の現在位置を特定する位置情報サーバーとを含む。
【００１０】
制御手段は、無線呼出子機からの呼び出しを廊下灯に多様な形態で表示させることができる。例えば、一実施形態の制御手段は、無線呼出子機からの呼び出しをナースコール子機からの呼び出しとは異なる表示パターンで廊下灯に表示させるための制御を行う。
【００１１】
別の実施形態の制御手段は、廊下灯がスタッフコール等の緊急呼び出しを表示しているときに、無線呼出子機からの呼び出しをキャンセルして、緊急呼出表示を継続させるための制御を行う。また、無線呼出子機からの呼び出しをナースコール子機からの呼び出しよりも優先させて廊下灯に表示させるための制御を行うこともできる。
【００１２】
さらに、別の実施形態では、制御手段が、無線呼出子機からの呼び出しを該子機に最寄りの廊下灯を含む複数の廊下灯に表示させるとともに、いずれか一つの廊下灯で無線呼出子機からの呼び出しを停止する操作がなされたときに、残りのすべての廊下灯でその無線呼び出しを停止させるための制御を行うように構成される。
【発明の効果】
【００１３】
本発明の看護用呼出表示システムによれば、無線呼出子機からの呼び出しに応答して、その患者の識別情報を最寄りの廊下灯に表示させるように構成したので、患者が病室外の共用区域で倒れたような場合でも、廊下灯に表示された識別情報からその患者の氏名や入院先の病室を容易に特定でき、医師や看護師が適切な処置を迅速かつ的確に行うことができるという効果がある。
【図面の簡単な説明】
【００１４】
【図１】本発明の一実施形態を示す看護用呼出表示システムの全体構成図である。
【図２】位置情報システムの構成を例示する院内レイアウト図である。
【図３】識別情報の関連付けを示す記憶手段のテーブル構成図である。
【図４】無線呼び出しを廊下灯に表示させるための制御を示すフローチャートである。
【図５】表示パターンの遷移を示す廊下灯の正面図である。
【発明を実施するための形態】
【００１５】
以下、本発明の一実施形態を図面に基づいて説明する。図１に示す看護用呼出表示システム１は、主に病室内のナースコール子機からの呼び出しに関連する情報を取り扱うナースコールシステム２と、病室外の無線呼出子機の現在位置に関する情報を取り扱う無線位置情報システム３とを備え、両システム２，３の協働により無線呼出子機からの呼び出しを最寄りの液晶廊下灯に表示させるように構成されている。
【００１６】
ナースコールシステム２には、患者が病室内で看護師を呼び出すためのナースコール子機２１、病室外の廊下で患者からの呼び出しを表示する液晶廊下灯２２、ナースセンター内の看護師に患者の呼び出しを知らせるナースコール親機２３、看護師が携帯するスマートフォン等の情報機器端末２４、これらのナースコール機器を全体的に制御する制御機２５、ナースコールシステム２を位置情報システム３に連携させるためのナースコールサーバー２６が含まれている。
【００１７】
ナースコール子機２１、廊下灯２２、ナースコール親機２３、制御機２５はハブ２７１とナースコール伝送線２０を介してナースコールサーバー２６に接続されている。情報機器端末２４は基地局２８を介して交換機２９に接続され、交換機２９がハブ２７２とナースコール伝送線２０を介してナースコールサーバー２６に接続されている。そして、ナースコールサーバー２６が病院のオーダリングシステム（図示略）に接続され、そこから提供された複数の患者の情報が、ナースコールシステム２の記憶手段に記憶される。
【００１８】
ナースコールシステム２の記憶手段としては、ナースコールサーバ２６に設けられた記憶装置２６１、または、制御機２５に設けられた記憶装置（図示略）、あるいは、制御機２５とナースコールサーバー２６を一体化したコンピュータ（図示略）の記憶装置、その他、独立型の記憶装置（図示略）を使用することができる。
【００１９】
一方、無線位置情報システム３には、患者Ｐが病室外で看護師を呼び出す無線呼出子機３１と、病院内の各所に設置された固定局機３２と、無線呼出子機３１と固定局機３２との間の交信情報に基づいて無線呼出子機３１の現在位置を特定する位置情報サーバー３３とが含まれている。そして、特定された無線呼出子機３１の位置情報が、位置情報サーバー３３の記憶装置３３１に蓄積され、システムの稼働中に常時、位置情報サーバー３３からナースコールサーバー２６を介して制御機２５に提供される。
【００２０】
無線位置情報システム３の固定局機３２は、例えば図２に示すように、患者が入院する病室６、病室６に連なる廊下７や階段８またはトイレ等の共用区域、あるいは廊下灯２２の内部など、病院内に予め指定された複数の区域の天井や壁に、好ましくは、ほぼ均等な距離をおいて配置されている。固定局機３２は発信機として用いられ、無線呼出子機３１が受信機として使用されるが、送受信機能を逆にして使用することもできる。無線位置情報システム３としては、特許文献３に記載されたＩＭＥＳ、またはＢＬＥ（Bluetooth （登録商標） Low Energy）など、ＧＰＳやＱＺＳＳ電波を受信しにくい屋内用の位置検出または測位システムを利用できる。
【００２１】
ナースコールシステム２の記憶手段、例えば、ナースコールサーバー２６の記憶装置２６１には、図３に示すように、患者識別情報テーブル２６２、無線呼出情報テーブル２６３および位置情報テーブル２６４が設けられている。患者識別テーブル２６２には、例えば、患者ＩＤ、ベッド番号、氏名、受診科目、感染症状、担当医師、担当看護師など、各患者を識別するための情報が予め記憶されている。無線呼出情報テーブル２６３には、無線呼出子機３１を識別するための無線呼出子機ＩＤがその子機３１を所持する患者の患者ＩＤに予め関連付けて記憶されている。位置情報テーブル２６４には、固定局機３２を識別するための固定局ＩＤが、その固定局機３２に最寄りの一つまたは複数の廊下灯２２の廊下灯ＩＤに予め関連付けて記憶されている。
【００２２】
そして、ナースコールシステム２の制御機２５は、看護用呼出表示システム１の制御手段として機能し、無線呼出子機３１からの呼び出しに応答してその子機３１を所持する患者の識別情報をその患者に最寄りの廊下灯２２に表示させるための制御を行う。具体的には、図４に示すように、制御機２５は、位置情報サーバー３３から固定局ＩＤと無線呼出子機ＩＤを受け取り（Ｓ４１）、記憶装置２６１の位置情報テーブル２６４を参照して、固定局ＩＤに紐付けされた一つまたは複数の廊下灯ＩＤを特定するとともに、無線呼出情報テーブル２６３を参照して、無線呼出子機ＩＤに紐付けされた患者ＩＤを特定し（Ｓ４２）、患者ＩＤに紐付けされたベッド番号や氏名等の患者の識別情報を患者識別情報テーブル２６２から読み出す（Ｓ４３）。
【００２３】
続いて、制御機２５は、廊下灯２２がスタッフコール等の緊急呼び出しを表示中であるかどうかを判断する（Ｓ４４）。そして、緊急呼出表示中である場合は、無線呼出子機３１からの呼び出しをキャンセルして緊急呼出表示を継続し（Ｓ４５）、緊急呼出表示中でない場合は、無線呼出子機３１を所持する患者の識別情報を含む無線呼出表示データを作成し（Ｓ４６）、その表示データを先に特定した一つまたは複数の廊下灯２２に送信する（Ｓ４７）。
【００２４】
なお、同じ廊下灯２２を含む院内区域において、病室外の無線呼出子機３１からの呼び出しと病室内のナースコール子機２１から呼び出しが同時に発生した場合は、無線呼出子機３１からの呼び出しをナースコール子機２１からの呼び出しよりも優先させて廊下灯２２に表示させる制御を行うことができる。
【００２５】
次に、上記のように構成された看護情報処理システム１の作用について説明する。システム１の稼働中には、位置情報システム３の固定局機３２が院内各所で定期的に電波を発信している。患者が無線呼出子機３１を携帯して病室の外に出ると、その無線呼出子機３１が固定局機３２からの電波を受信し、双方間の交信結果に基づいて位置情報サーバー３３が無線呼出子機３１の現在位置を継続的に特定する。例えば、図２に示すように、患者Ｐが自身の病室とは別の階床にある廊下７を歩行しているときには、無線呼出子機３１が廊下７または病室６に設置された固定局機３２と交信し、無線呼出子機ＩＤが固定局ＩＤに組み合わされ、無線呼出子機３１の現在位置を特定するための情報として位置情報サーバー３３に蓄積されるとともに、サーバー３３からナースコール制御機２５に送信される。
【００２６】
ここで、２０５号室付近で患者Ｐの気分が悪くなり、無線呼出子機３１の呼出ボタン（図示略）が操作されると、呼出信号が無線呼出子機３１から制御機２５を介してナースコール親機２３に通知されるとともに、無線呼出子機３１に最も近い２０５号室の固定局ＩＤと無線呼出子機ＩＤが位置情報サーバー３３から制御機２５に送信される。すると、制御機２５は、固定局ＩＤに予め関連付けられた最寄りの一つの液晶廊下灯（例えば、２０５号室の廊下灯２２）、または、その廊下灯２２の近辺に設置されている複数の液晶廊下灯（例えば、２０１号室、２０２号室および２０５号室の廊下灯２２）のＩＤを特定するとともに、無線呼出子機ＩＤに予め関連付けられた患者ＩＤを特定する。そして、特定された液晶廊下灯２２が緊急呼出表示中でないことを確認したのち、その廊下灯２２に患者Ｐの識別情報を表示させる。
【００２７】
識別情報の表示にあたり、制御機２５は、無線呼出子機３１からの呼び出しをナースコール子機２１からの通常呼び出しと異なる表示パターンで廊下灯２２に表示させる。図５（Ａ）は呼び出しを待ち受けているときの表示パターン２２１を示し、例えば、廊下灯２２の液晶画面に予め選択した絵柄が表示される。図５（Ｂ）はナースコール子機２１からの通常呼び出しを表示するパターン２２２を例示し、液晶画面上に呼び出し元の患者の氏名が表示される。図５（Ｃ）は無線呼出子機３１からの呼び出しを表示するパターン２２３を例示し、液晶画面にマスク２２４が掛けられ、マスク２２４の上に「無線呼出中」を知らせる情報に加え、呼び出し元の患者のベッド番号や氏名、症状等を含む識別情報２２５が強調表示されるとともに、ＬＥＤランプ２２６が点滅表示される。  
【００２８】
そして、複数の液晶廊下灯２２で無線呼び出しが表示されている状態で、看護師や医師が、無線呼び出しを停止させるために、いずれか一つの廊下灯２２の復旧ボタン２２７を操作すると、ナースコール制御機２５は、残りのすべての廊下灯２２から無線呼び出しを一斉に停止させ、各廊下灯２２の液晶画面に待受け表示パターン２２１（図５Ａ参照）を表示させる制御を行うようになっている。
【００２９】
以上詳述したように、この実施形態の看護用呼出表示システム１によれば、無線呼出子機３１からの呼び出しに応答し、その子機３１を所持する患者の識別情報をその患者に最寄りの廊下灯２２に表示させるので、廊下灯２２の表示から患者名、入院中の病室、血液型等の情報を容易に特定でき、患者が病室外の共用区域で倒れたような場合でも、近くにいた医師や看護師が適切な処置を迅速に行うことができる。特に、位置情報システム３で特定した位置に最寄りの廊下灯２２で患者の識別情報を表示しているので、別の階床や別病棟に迷い込んだ患者からの無線呼出を安価なシステムで的確に表示できるという利点もある。
【００３０】
なお、上記実施形態では、ナースコール制御機２５が、患者Ｐからの呼び出しに応答して、その患者Ｐの識別情報を最寄りの一つまたは複数の廊下灯２２に表示させているが、同じ患者Ｐの識別情報を最寄りの一つの廊下灯２２と、予め定められた場所にある一つまたは複数の廊下灯に一斉表示させる制御を行ってもよい。この場合も、どこか一つの廊下灯２２で復旧ボタン２２７が操作されたときに、残りのすべての廊下灯２２で呼び出しを一斉停止させるための制御を行ってもよい。その他、本発明は、上記実施形態に限定されるものではなく、発明の趣旨を逸脱しない範囲で、各部の構成や制御を適宜に変更して実施することも可能である。
【符号の説明】
【００３１】
１    看護用呼出表示システム
２    ナースコールシステム
３    位置情報システム
２１    ナースコール子機
２２    液晶廊下灯
２３    ナースコール親機
２５    制御機
２６    ナースコールサーバー
２６１  記憶装置
３２    固定局機
３３    位置情報サーバー
【図１】
2018050740.tif 000003
【図２】
2018050740.tif 000004
【図３】
2018050740.tif 000005
【図４】
2018050740.tif 000006
【図５】
2018050740.tif 000007